(57)【要約】【課題】立体ギャザーにおける肌触りの柔軟性及び追従変形性の低下を抑えつつ剛性を高める。【解決手段】上記課題は、複数層構造のギャザーシート６２と、このギャザーシート６２の層間に前後方向に沿って固定された、細長状のギャザー弾性伸縮部材６３とを有する立体ギャザー６０において、ギャザーシート６２における、ギャザー弾性伸縮部材６３の一方側及び他方側にそれぞれ位置する第１層６２ａ及び第２層６２ｂは、前後方向に間欠的に配された、ギャザー弾性伸縮部材６３と交差して連続する接着剤７１により接合されて、接合加工部７０が形成されており、ギャザー弾性伸縮部材６３が、接合加工部７０と交差する位置で第１層６２ａ及び第２層６２ｂの少なくとも一方に固定されており、各接合加工部７０の伸縮方向の幅が４ｍｍ以下であり、隣り合う接合加工部７０の間隔が４〜８ｍｍである、ことにより解決される。【選択図】図９
2015171501.tif 000002
【特許請求の範囲】
【請求項１】
吸収体と、この吸収体の表側及び裏側をそれぞれ覆う液透過性トップシート及び液不透過性シートと、幅方向両側にそれぞれ前後方向に沿って延在された立体ギャザーとを備えており、
前記立体ギャザーは、複数層構造のギャザーシートと、このギャザーシートの層間に前後方向に沿って固定された、細長状のギャザー弾性伸縮部材とを有するものであり、
前記ギャザーシートは、吸収性物品の側部に固定された付根部分と、この付根部分から突出する突出部分と、この突出部分のうち前後端部にそれぞれ設けられ、倒伏状態で本体部の表面に対して固定された倒伏部と、突出部分のうち前後の倒伏部間に位置する非固定の自由部分と、を有しており、
このギャザーシートにおける前記自由部分の少なくとも先端部に、前記ギャザー弾性伸縮部材が前後方向に伸張した状態で固定されている、
吸収性物品において；
前記ギャザーシートにおける、前記ギャザー弾性伸縮部材の一方側及び他方側にそれぞれ位置する第１層及び第２層は、前後方向に間欠的に配された、前記ギャザー弾性伸縮部材と交差して連続する接着剤又は溶着加工により接合されて、接合加工部が形成されており、
前記ギャザー弾性伸縮部材が、前記接合加工部と交差する位置で前記第１層及び第２層の少なくとも一方に固定されており、
前記弾性伸縮部材の収縮に伴い前記第１層及び第２層が収縮することにより、前記第１層及び第２層における接合加工部間に位置する部分が互いに反対向きに膨らんでそれぞれ襞が形成されている、
ことを特徴とする吸収性物品。
【請求項２】
各接合加工部の伸縮方向の幅が４ｍｍ以下であり、隣り合う接合加工部の間隔が４〜８ｍｍである、請求項１記載の吸収性物品。
【請求項３】
前記ギャザー弾性伸縮部材は、前記自由部分の先端側に、複数本間隔を空けて設けられており、
これらギャザー弾性伸縮部材における隣り合うギャザー弾性伸縮部材の間隔が１０ｍｍ以下である、請求項１又は２記載の吸収性物品。
【請求項４】
前記第１層及び第２層はそれぞれ、厚み０．１〜１ｍｍ、目付１０〜２０ｇ／ｍ2の不織布である、請求項１〜３のいずれか１項に記載の吸収性物品。
【請求項５】
前記立体ギャザーを完全に伸長した状態における前記ギャザー弾性伸縮部材の伸長率が１５０〜３５０％である、請求項１〜４のいずれか１項に記載の吸収性物品。
【請求項６】
前記ギャザーシートの突出部分は、表面側において幅方向中央側に向かって延出する基端側部分と、この基端側部分の先端から幅方向外側に折り返された先端側部分とを有している、請求項１〜５のいずれか１項に記載の吸収性物品。
【請求項７】
前記接合加工部が、前記ギャザー弾性伸縮部材と直交する方向に対し傾斜した方向に沿って連続している、請求項１〜６のいずれか１項に記載の吸収性物品。
【請求項８】
前記接合加工部が、前記ギャザー弾性伸縮部材に沿う方向に往復しつつ前記ギャザー弾性伸縮部材と直交する方向に連続する波状をなしている、請求項１〜７のいずれか１項に記載の吸収性物品。
【請求項９】
前記接合加工部が前記立体ギャザーの先端から基端側に離間している、請求項１〜８のいずれか１項に記載の吸収性物品。
【発明の詳細な説明】
【技術分野】
【０００１】
本発明は、立体ギャザーを備えた吸収性物品に関するものである。
【背景技術】
【０００２】
使い捨ておむつや生理用ナプキン等の吸収性物品においては、脚周りに対するフィット性を高めるために、内面における幅方向両側に、身体側に突出する立体ギャザーがそれぞれ前後方向に沿って延在しているものが一般的となっている（例えば特許文献１参照）。このような立体ギャザーを備えることによって、両立体ギャザー間に排泄物が留まり、特に着用者の脚周り部からの排泄物の漏れが防止される。
【０００３】
立体ギャザーは、不織布等のシートを二つ折りして二層構造としたギャザーシートと、ギャザーシートの層間に前後方向に沿って固定された、細長状のギャザー弾性伸縮部材とを有するものであり、ギャザーシートは、吸収性物品の側部に固定された付根部分と、この付根部分から突出する突出部分と、この突出部分のうち前後端部にそれぞれ設けられ、倒伏状態で本体部の表面に対して固定された倒伏部と、突出部分のうち前後の倒伏部間に位置する非固定の自由部分と、を有しており、このギャザーシートにおける自由部分の少なくとも先端部に、ギャザー弾性伸縮部材が前後方向に伸張した状態で固定されている。使用時には、ギャザー弾性伸縮部材の収縮作用により自由部分が立ち上がって肌に密着し、漏れが防止される。一般には、突出部分の折り返しが無く、自由部分の先端縁が身体に接する線接触タイプの立体ギャザーと、突出部分が折り返されて、先端側部分が面的に身体に接する面接触タイプの立体ギャザーと広く用いられている。
【０００４】
ギャザーシートに対するギャザー弾性伸縮部材の固定は、ホットメルト接着剤により行われており、従来は立体ギャザーの柔軟性を損なわないよう、ギャザー弾性伸縮部材の周面にホットメルト接着剤を塗布する手法により、ギャザー弾性伸縮部材の通過位置及びその近傍のみホットメルト接着剤が塗布されていた。
【先行技術文献】
【特許文献】
【０００５】
【特許文献１】特開２００６−２４７２７２号公報
【発明の概要】
【発明が解決しようとする課題】
【０００６】
しかし、立体ギャザーの肌への当りを柔軟にするために、柔軟性に優れたギャザーシートを用いる等、立体ギャザーの剛性（コシ）を低下させると、装着中にヨレやズレが発生し易くなり、漏れの発生を助長するおそれがある。かといって、立体ギャザーは肌に対して弾力的に密着する部分であるから、単に剛性を高めたのでは、装着者の動きに対して追従変形し難くなるだけでなく、肌触りが硬質となってしまう。
【０００７】
そこで、本発明の主たる課題は、立体ギャザーにおける肌触りの柔軟性及び追従変形性の低下を抑えつつ剛性を高めることにある。
【課題を解決するための手段】
【０００８】
上記課題を解決した本発明は次記のとおりである。
＜請求項１記載の発明＞
吸収体と、この吸収体の表側及び裏側をそれぞれ覆う液透過性トップシート及び液不透過性シートと、幅方向両側にそれぞれ前後方向に沿って延在された立体ギャザーとを備えており、
前記立体ギャザーは、複数層構造のギャザーシートと、このギャザーシートの層間に前後方向に沿って固定された、細長状のギャザー弾性伸縮部材とを有するものであり、
前記ギャザーシートは、吸収性物品の側部に固定された付根部分と、この付根部分から突出する突出部分と、この突出部分のうち前後端部にそれぞれ設けられ、倒伏状態で本体部の表面に対して固定された倒伏部と、突出部分のうち前後の倒伏部間に位置する非固定の自由部分と、を有しており、
このギャザーシートにおける前記自由部分の少なくとも先端部に、前記ギャザー弾性伸縮部材が前後方向に伸張した状態で固定されている、
吸収性物品において；
前記ギャザーシートにおける、前記ギャザー弾性伸縮部材の一方側及び他方側にそれぞれ位置する第１層及び第２層は、前後方向に間欠的に配された、前記ギャザー弾性伸縮部材と交差して連続する接着剤又は溶着加工により接合されて、接合加工部が形成されており、
前記ギャザー弾性伸縮部材が、前記接合加工部と交差する位置で前記第１層及び第２層の少なくとも一方に固定されており、
前記弾性伸縮部材の収縮に伴い前記第１層及び第２層が収縮することにより、前記第１層及び第２層における接合加工部間に位置する部分が互いに反対向きに膨らんでそれぞれ襞が形成されている、
ことを特徴とする吸収性物品。
【０００９】
（作用効果）
本発明の立体ギャザーでは、第１層及び第２層を接合する接合加工部がギャザー弾性伸縮部材と交差して連続し、立体ギャザーの突出方向に連続する襞が形成されるため、この襞が骨のような役割を果たして立体ギャザーの突出方向の剛性が高くなり、ヨレやズレが発生し難くなる。そして、その割には、襞は前後方向に間欠的であるため、装着者の動きに対して追従変形し易いものとなる。さらに、接合加工部は硬質なものとなるが、襞間、潰れた襞の壁部、倒れた襞により肌側に露出し難くなるため、肌触りが硬質となり難い点も重要である。
【００１０】
なお、本発明において接合加工部を形成するための接着剤が連続するとは、接合加工部とギャザー弾性伸縮部材とが交差する部分において、ギャザー弾性伸縮部材の第１層側及び第２層側の両方で接着剤が伸縮方向と交差する方向に連続する形態の他、ギャザー弾性伸縮部材が介在するためにいずれか一方側では接着剤が連続するが他方側では伸縮方向と交差する方向に接着剤が不連続となっている形態も含む。
【００１１】
また、本発明において接合加工部を形成するための溶着加工が連続するとは、第１層及び第２層の少なくとも一方で溶着加工跡が連続する限り、第１層及び第２層とギャザー弾性伸縮部材とがそれぞれ溶着して第１層及び第２層が間接的に溶着することにより溶着が連続する形態だけでなく、接合加工部とギャザー弾性伸縮部材とが交差する部分においてギャザー弾性伸縮部材が介在するために第１層及び第２層間の溶着が連続しない形態も含む。
【００１２】
さらに、ギャザー弾性伸縮部材が接合加工部と交差する位置でシートに固定されているとは、ギャザー弾性伸縮部材と接合加工部とが交差する位置で、ギャザー弾性伸縮部材とシートとが接着（接着剤による接着の他、溶着を含む。以下同じ。）されている形態だけでなく、ギャザー弾性伸縮部材とシートとは接着されていないが、伸縮方向と交差する方向の接合加工部の間隔がギャザー弾性伸縮部材の自然長時の太さよりも狭く、ギャザー弾性伸縮部材が接合加工部間に挟持されることで固定される結果、ギャザー弾性伸縮部材の収縮力が接合加工部と交差する位置でシートに伝達される形態も含まれる。後者の原理は、例えば、特開２００８−１５４９９８号公報、特開２００９−１０６６６７号公報記載の原理と共通するものである。
【００１３】
＜請求項２記載の発明＞
各接合加工部の伸縮方向の幅が４ｍｍ以下であり、隣り合う接合加工部の間隔が４〜８ｍｍである、請求項１記載の吸収性物品。
【００１４】
（作用効果）
本項記載の発明は、隣り合う接合加工部の間隔及び各接合加工部の伸縮方向の幅を特定の範囲で組み合わせ、立体ギャザー表面に形成される襞に十分な高さと倒れにくさを両立させるものである。本発明において、各接合加工部の伸縮方向の幅は隣り合う襞の間隔に影響を及ぼすものであり、この幅が４ｍｍを超えると、隣り合う襞の間が広くなり過ぎ、個々の襞が独立した見栄えとなるだけでなく、厚み方向の圧縮力により襞が潰れ広がる、倒れる等の変形をするとき、隣り合う襞が支え合う作用が弱くなる結果、変形に対する抵抗あるいは変更後の復元も弱くなり、結果的にフンワリ感が不十分となってしまう。
【００１５】
しかも、単に接合加工部の伸縮方向の幅を４ｍｍ以下とするだけで、隣り合う接合加工部の間隔を４ｍｍ未満８ｍｍ超とした場合には次のようになる。すなわち、隣り合う接合加工部の間隔は剛性及び追従変形性に影響するものであり、３ｍｍ以下になると襞が殆ど形成されず、襞による立体ギャザーの突出方向の剛性向上が乏しいものとなる（伸縮方向に間欠的に接合加工部を設ける意味が無くなる）。また、接合加工部の間隔が８ｍｍを超えると、包装時の圧縮により襞が不規則に潰れてしまい、襞による肌触りの柔軟性の向上が損なわれるおそれがある。これに対して、接合加工部の伸縮方向の幅を４ｍｍ以下とし、かつ接合加工部の間隔を４〜８ｍｍとすると、剛性及び追従変形性のバランスが良く、かつ、襞による肌触りの柔軟性も十分に確保される。
【００１６】
＜請求項３記載の発明＞
前記ギャザー弾性伸縮部材は、前記自由部分の先端側に、複数本間隔を空けて設けられており、
これらギャザー弾性伸縮部材における隣り合うギャザー弾性伸縮部材の間隔が１０ｍｍ以下である、請求項１又は２記載の吸収性物品。
【００１７】
（作用効果）
隣り合うギャザー弾性伸縮部材の間隔（中心間隔ではない）が１０ｍｍを超えると、襞の厚みが伸縮方向と交差する方向に変化し、襞の形状が不規則になり易い。よって、襞を規則的な形状とするならば、隣り合う弾性伸縮部材の間隔は１０ｍｍ以下とすることが好ましい。
【００１８】
＜請求項４記載の発明＞
前記第１層及び第２層はそれぞれ、厚み０．１〜１ｍｍ、目付１０〜２０ｇ／ｍ2の不織布である、請求項１〜３のいずれか１項に記載の吸収性物品。
【００１９】
（作用効果）
本発明は、このような第１層及び第２層に特に好適なものである。
【００２０】
＜請求項５記載の発明＞
前記立体ギャザーを完全に伸長した状態における前記ギャザー弾性伸縮部材の伸長率が１５０〜３５０％である、請求項１〜４のいずれか１項に記載の吸収性物品。
【００２１】
（作用効果）
このような伸長率を採用することにより、上述の本発明の作用効果がより顕著なものとなる。なお、伸長率とは自然長を１００％としたときの値を意味する。
【００２２】
＜請求項６記載の発明＞
前記ギャザーシートの突出部分は、表面側において幅方向中央側に向かって延出する基端側部分と、この基端側部分の先端から幅方向外側に折り返された先端側部分とを有している、請求項１〜５のいずれか１項に記載の吸収性物品。
【００２３】
（作用効果）
このように突出部分が折り返されて、先端側部分が面的に身体に接する面接触タイプの立体ギャザーは、線接触タイプと比べて、ヨレやズレが発生すると好ましい接触状態が維持され難い一方で、肌に対する当りは強くなり難い。よって、このような面接触タイプの立体ギャザーに本発明を適用すると、面接触タイプの短所である形状維持性を本発明の襞による剛性向上により補いつつ、剛性向上により短所となりかねない肌触りの悪化を面接触タイプの長所により補うことができるため好ましい。
【００２４】
＜請求項７記載の発明＞
前記接合加工部が、前記ギャザー弾性伸縮部材と直交する方向に対し傾斜した方向に沿って連続している、請求項１〜６のいずれか１項に記載の吸収性物品。
【００２５】
（作用効果）
本発明の立体ギャザーでは、ギャザー弾性伸縮部材と交差する方向に延びる襞が前後方向に多数形成されるため、通気性の点では好ましいものとなるが、襞間を通って漏れが発生するおそれがある。そこで、本項記載のように、接合加工部の向きを傾斜させて、襞間の通路長を長くし、漏れ防止性を高めるのは一つの好ましい形態である。
【００２６】
＜請求項８記載の発明＞
前記接合加工部が、前記ギャザー弾性伸縮部材に沿う方向に往復しつつ前記ギャザー弾性伸縮部材と直交する方向に連続する波状をなしている、請求項１〜６のいずれか１項に記載の吸収性物品。
【００２７】
（作用効果）
本発明の立体ギャザーでは、ギャザー弾性伸縮部材と交差する方向に延びる襞が前後方向に多数形成されるため、通気性の点では好ましいものとなるが、襞間を通って漏れが発生するおそれがある。そこで、本項記載のように、接合加工部を波状に形成して襞間の通路を波状に延在させ、通路長の増加だけでなく通路壁への衝突性を向上させて、漏れ防止性を高めるのは一つの好ましい形態である。
【００２８】
＜請求項９記載の発明＞
前記接合加工部が前記立体ギャザーの先端から基端側に離間している、請求項１〜８のいずれか１項に記載の吸収性物品。
【００２９】
（作用効果）
接合加工部は立体ギャザーの先端まで延在していても良いが、接合加工部は硬質な部分であるとともに、立体ギャザーの先端は最も強く肌に当たる部分であるため、立体ギャザーの先端から基端側に離間させて、立体ギャザー先端の柔軟性を確保するのも一つの好ましい形態である。
【発明の効果】
【００３０】
以上のとおり、本発明によれば、立体ギャザーにおける肌触りの柔軟性及び追従変形性の低下を抑えつつ剛性を高めることができる等の利点がもたらされる。
【図面の簡単な説明】
【００３１】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】図１の５−５断面図である。
【図６】パンツタイプ使い捨ておむつの要部のみを示す、おむつを展開した状態における平面図である。
【図７】パンツタイプ使い捨ておむつの要部のみを示す、断面図である。
【図８】パンツタイプ使い捨ておむつの斜視図である。
【図９】立体ギャザーの要部を示す、（ａ）展開状態の平面図、及び（ｂ）自然長状態の６−６断面図、（ｃ）ある程度伸長した状態の６−６断面図、（ｄ）７−７断面図である。
【図１０】立体ギャザーの要部を示す、（ａ）展開状態の平面図、及び（ｂ）自然長状態の６−６断面図、（ｃ）ある程度伸長した状態の６−６断面図、（ｄ）７−７断面図である。
【図１１】立体ギャザーの要部を示す、（ａ）展開状態の平面図、及び（ｂ）自然長状態の６−６断面図、（ｃ）ある程度伸長した状態の６−６断面図、（ｄ）７−７断面図である。
【図１２】（ａ）伸長状態、及び（ｂ）収縮状態の要部を示す平面図である。
【図１３】（ａ）（ｂ）ともに、立体ギャザーの要部を示す、展開状態の平面図である。
【図１４】立体ギャザーの要部を示す、展開状態の平面図である。
【図１５】試験片Ｉの（ａ）展開状態、（ｂ）自然長状態を示す概略図である。
【図１６】試験片ＩＩの（ａ）展開状態、（ｂ）自然長状態を示す概略図である。
【発明を実施するための形態】
【００３２】
以下、本発明の実施形態について、添付図面を参照しつつ詳説する。
図１〜図８は、パンツタイプ使い捨ておむつの一例１００を示している。このパンツタイプ使い捨ておむつ１００は、製品外面（裏面）をなす外装体１２と、外装体１２の内面に貼り付けられた内装体２００とから構成されているものである。符号Ｙは展開状態におけるおむつの全長（前身頃Ｆのウエスト開口部ＷＯの縁から後身頃Ｂのウエスト開口部ＷＯの縁までの縦方向長さ）を示しており、符号Ｘは展開状態におけるおむつの全幅を示している。
【００３３】
内装体２００は、尿等の排泄物等を吸収保持する部分であり、外装体１２は着用者の身体に対して内装体２００を支えるための部分である。なお、断面図における点模様部分は各構成部材を接合する接合部分を示しており、ホットメルト接着剤などのベタ、ビード、カーテン、サミット若しくはスパイラル塗布などにより、また弾性伸縮部材の固定部分はこれに代えて又はこれとともにコームガンやシュアラップ塗布などの弾性伸縮部材の外周面への塗布により形成されるものである。また、「前後方向」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃両側部を重ね合わせるようにおむつ１００を股間部で２つに折った際に胴回り方向と直交する方向、換言すればウエスト開口部ＷＯ側と股間部側とを結ぶ方向を意味する。
【００３４】
（内装体）
内装体２００は任意の形状を採ることができるが、図示の形態では長方形である。内装体２００は、図３〜図５に示されるように、身体側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側に設けられた、身体側に起立する立体ギャザー６０を示している。
【００３５】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３６】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３７】
立体ギャザー６０を設ける場合、トップシート３０の両側部は、液不透過性シート１１と立体ギャザー６０との間を通して、吸収要素５０の裏側まで回りこませ、液の浸透を防止するために、液不透過性シート１１及び立体ギャザー６０に対してホットメルト接着剤等により接着するのが好ましい。
【００３８】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、トップシート３０上を常に乾燥した状態とすることができる。中間シート４０は省略することもできる。
【００３９】
中間シート４０としては、トップシート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００４０】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００４１】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、液不透過性シート１１として用いることができる。
【００４２】
液不透過性シート１１は、防漏性を高めるために、吸収要素５０の両側を回りこませて吸収要素５０のトップシート３０側面の両側部まで延在させるのが好ましい。この延在部の幅は、左右それぞれ５〜２０ｍｍ程度が適当である。
【００４３】
また、液不透過性シート１１の内側、特に吸収体５６側面に、液分の吸収により色が変化する排泄インジケータを設けることができる。
【００４４】
（立体ギャザー）
立体ギャザー６０は、内装体２００の両側縁に沿って前後方向全体にわたり延在する帯状部材であり、横方向に移動する尿や軟便を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。
【００４５】
より詳細には、立体ギャザー６０は、内装体２００の前後方向長さに等しい長さを有する帯状のシート状素材を幅方向に折り返して二つに折り重ね、二層構造としたギャザーシート６２と、このギャザーシート６２の層間に前後方向に沿って固定された、細長状のギャザー弾性伸縮部材６３とを有するものである。ギャザーシート６２のうち先端部と反対側に位置する基端部（幅方向においてシート折り返し部分と反対側の端部）は内装体２００の側縁部の裏面に固定された付根部分６５とされ、この付根部分６５以外の部分は付根部分６５から突出する突出部分６６（折り返し部分側の部分）とされている。また、突出部分６６は、幅方向中央側に向かう付け根側部分と、この付け根側部分の先端から幅方向外側に折り返された先端側部分とからなる。この形態は面接触タイプの立体ギャザーであるが、幅方向外側に折り返されない線接触タイプの立体ギャザー（図示略）も採用することができる。そして、突出部分６６のうち前後方向両端部が倒伏状態でトップシート３０の側部表面に対してホットメルト接着剤やヒートシールにより固定された倒伏部６７とされる一方で、これら倒伏部６７の間に位置する前後方向中間部は非固定の自由部分６８とされ、少なくともこの自由部分６８に、複数本のギャザー弾性伸縮部材６３が幅方向に間隔をあけてそれぞれ前後方向に伸長した状態で固定されている。
【００４６】
ギャザーシート６２は図示形態のように折り畳むことにより複数層構造とする他、複数枚の素材貼り合わせて複数層構造とすることもできる。ギャザーシート６２のシート状素材としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができる。不織布としては、厚み０．１〜１．０ｍｍ、目付１０〜２０ｇ／ｍ2の不織布が好ましい。ギャザー弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザーシートの間に防水フィルム６４を介在させることもできる。
【００４７】
立体ギャザー６０の自由部分に設けられるギャザー弾性伸縮部材６３の本数は２〜６本が好ましく、３〜５本がより好ましい。配置間隔６０ｄは３〜１０ｍｍが適当である。このように構成すると、ギャザー弾性伸縮部材６３を配置した範囲で肌に対して面で当たりやすくなる。先端側だけでなく付け根側にもギャザー弾性伸縮部材６３を配置しても良い。
【００４８】
立体ギャザー６０の付根部分６５の固定対象は、内装体２００におけるトップシート３０、液不透過性シート１１、吸収要素５０等適宜の部材とすることができる。
【００４９】
かくして構成された立体ギャザー６０では、ギャザー弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、付根部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
【００５０】
立体ギャザー６０の寸法は適宜定めることができるが、乳幼児用紙おむつの場合は、例えば図７に示すように、立体ギャザー６０の起立高さ（展開状態における突出部分６６の幅方向長さ）Ｗ６は１５〜６０ｍｍ、特に２０〜４０ｍｍであるのが好ましい。また、立体ギャザー６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００５１】
なお、図示形態と異なり、内装体２００の左右各側において立体ギャザーを二重に（二列）設けることもできる。
【００５２】
（吸収要素）
吸収要素５０は、吸収体５６と、この吸収体５６の全体を包む包装シート５８とを有する。包装シート５８は省略することもできる。
【００５３】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００５４】
吸収体５６は長方形形状でも良いが、図６にも示すように、前端部、後端部及びこれらの間に位置し、前端部及び後端部と比べて幅が狭い括れ部とを有する砂時計形状を成していると、吸収体５６自体と立体ギャザー６０の、脚回りへのフィット性が向上するため好ましい。
【００５５】
また、吸収体の寸法は適宜定めることができるが、前後方向及び幅方向において、内装体の周縁部又はその近傍まで延在しているのが好ましい。なお、符号５６Ｘは吸収体５６の幅を示している。
【００５６】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【００５７】
高吸収性ポリマー粒子の材料としては、特に限定無く用いることができるが、吸水量（ＪＩＳ  Ｋ７２２３−１９９６「高吸水性樹脂の吸水量試験方法」）が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５８】
高吸収性ポリマー粒子としては、吸水速度（ＪＩＳ  Ｋ７２２４−１９９６高吸水性樹脂の吸水速度試験方法）が４０秒以下のものが好適に用いられる。吸水速度が４０秒を超えると、吸収体５６内に供給された液が吸収体５６外に戻り出てしまう所謂逆戻りを発生し易くなる。
【００５９】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００６０】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００６１】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００６２】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６３】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００６４】
（外装体）
外装体１２は、股間部から腹側に延在する前身頃Ｆを構成する部分と、股間部から背側に延在する後身頃Ｂを構成する部分とを有し、これら前身頃Ｆの両側部と後身頃Ｂの両側部とが接合されて、図８に示すように、装着者の胴を通すためのウエスト開口部ＷＯ及び脚を通すための左右一対の脚開口部ＬＯが形成されているものである。符号１２Ａは接合部分を示している（以下、この部分をサイドシール部ともいう）。なお、股間部とは、展開状態における前身頃Ｆのウエスト端縁から後身頃Ｂのウエスト端縁までの前後方向中央を意味し、それよりも前側の部分及び後側の部分が前身頃Ｆ及び後身頃Ｂをそれぞれ意味する。
【００６５】
外装体１２は、サイドシール部１２Ａを有する縦方向範囲（ウエスト開口部ＷＯから脚開口部ＬＯの上端に至る縦方向範囲）として定まる胴回り部Ｔと、脚開口部ＬＯを形成する部分の前後方向範囲（前身頃Ｆのサイドシール部１２Ａを有する縦方向領域と後身頃Ｂのサイドシール部１２Ａを有する縦方向領域との間）して定まる中間部Ｌとを有する。胴回り部Ｔは、概念的にウエスト開口部の縁部を形成する「ウエスト縁部」Ｗと、これよりも下側の部分である「ウエスト下部」Ｕとに分けることができる。これらの縦方向の長さは、製品のサイズによって異なり、適宜定めることができるが、一例を挙げると、ウエスト縁部Ｗは１５〜４０ｍｍ、ウエスト下部Ｕは６５〜１２０ｍｍとすることができる。一方、中間部Ｌの両側縁は被着者の脚周りに沿うように括れており、ここが着用者の脚を入れる部位となる。この結果、外装体１２は、全体としては略砂時計形状をなしている。外装体１２の括れの程度は適宜定めることができ、図１〜図８に示す形態のように、すっきりとした外観とするために最も幅が狭い部分では内装体２００の幅より狭くすることが好ましいが、最も幅が狭い部分でも内装体２００の幅以上となるように定めてもよい。
【００６６】
外装体１２は、図３〜図５に示されるように、二枚のシート材１２Ｓ，１２Ｈをホットメルト接着剤等の接着剤により張り合わせて形成されるものであり、内側に位置する内側シート材１２Ｈはウエスト開口部ＷＯの縁までしか延在していないが、外側シート材１２Ｓは内側シート材１２Ｈのウエスト側の縁を回り込んでその内側に折り返されており、この折り返し部分１２ｒは内装体２００のウエスト側端部上までを被覆するように延在されている。
【００６７】
シート材１２Ｓ，１２Ｈとしては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００６８】
また、外装体１２を通して後述する印刷シート２５のデザインを製品外面から良好に視認できるように、外装体１２の総目付けは２０〜６０ｇ／ｍ2程度であるのが好ましく、外装体１２のＪＩＳ Ｋ ７１０５に規定される全光線透過率が４０％以上、特に５０％以上となっているのが好ましい。
【００６９】
そして、外装体１２には、胴回りに対するフィット性を高めるために、両シート材１２Ｓ，１２Ｈ間に糸ゴム等の細長状弾性伸縮部材１５〜１９が所定の伸長率で設けられている。細長状弾性伸縮部材１５〜１９としては、合成ゴムを用いても、天然ゴムを用いても良い。外装体１２の両シート材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。外装体１２全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
【００７０】
より詳細には、後身頃Ｂ及び前身頃Ｆのウエスト縁部Ｗにおける内側シート材１２Ｈの内側面と外側シート材１２Ｓの折り返し部分１２ｒの外側面との間には、幅方向全体にわたり連続するように、複数のウエスト縁部弾性伸縮部材１７が上下方向に間隔を空けて、かつ所定の伸長率で幅方向に沿って伸長された状態で固定されている。また、ウエスト縁部弾性伸縮部材１７のうち、ウエスト下部Ｕに隣接する領域に配設される１本または複数本については、内装体２００と重なっていてもよいし、内装体２００と重なる幅方向中央部を除いてその幅方向両側にそれぞれ設けてもよい。このウエスト縁部弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。また、ウエスト縁部弾性伸縮部材１７は、その全てが同じ太さと伸長率にする必要はなく、例えばウエスト縁部Ｗの上部と下部で弾性伸縮部材の太さと伸長率が異なるようにしてもよい。
【００７１】
また、前身頃Ｆ及び後身頃Ｂのウエスト下部Ｕにおける内側シート材１２Ｈの外側面と外側シート材１２Ｓの内側面との間には、内装体２００と重なる幅方向中央部を除いて、その上側および幅方向両側の各部位に、幅方向全体にわたり連続するように、細長状弾性伸縮部材からなるウエスト下部弾性伸縮部材１５，１９が複数本、上下方向に間隔を空けて、かつ所定の伸長率で幅方向に沿って伸長された状態で固定されている。
【００７２】
ウエスト下部弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００７３】
また、前身頃Ｆ及び後身頃Ｂの中間部Ｌにおける内側シート材１２Ｈの外側面と外側シート材１２Ｓの内側面との間には、内装体２００と重なる幅方向中央部を除いて、その幅方向両側の各部位に、幅方向全体にわたり連続するように、細長状弾性伸縮部材からなる中間部弾性伸縮部材１６、１８が複数本、上下方向に間隔を空けて、かつ所定の伸長率で幅方向に沿って伸長された状態で固定されている。
【００７４】
中間部弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい。
【００７５】
なお、図示のように、ウエスト下部弾性伸縮部材及び中間部弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがない。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が細かく切断され、収縮力が作用せず（実質的には、弾性伸縮部材を設けないことに等しい）に、その幅方向両側のみが収縮力作用部分として構成されている形態も含まれる。もちろんウエスト下部弾性伸縮部材及び中間部弾性伸縮部材１５，１９，１６，１８の配設形態は上記例に限るものではなく、ウエスト下部Ｕの幅方向全体にわたり伸縮力が作用するように、ウエスト下部弾性伸縮部材及び中間部弾性伸縮部材１５，１９，１６，１８の一部または全部を、内装体２００を横切ってその幅方向一方側から他方側まで設けることもできる。
【００７６】
また、各部の細長状弾性伸縮部材１５〜１９が後述する印刷シート２５を横切る場合において、細長状弾性伸縮部材１５〜１９として酸化チタンを含有するゴムを用いる場合には、酸化チタンの含有量が低い（例えば２％以下の）ものあるいは酸化チタンを含有しないものを用いるのが好ましい。
【００７７】
（後処理テープ）
外装体１２の後身頃Ｂの外面における幅方向中央部には、後処理テープ９０（固定手段）を設けることができる。後処理テープ９０は、おむつ１００をトップシート３０が内側に且つ前身頃Ｆが内側となるように丸め若しくは折り畳んだ状態で固定するためのものである。一般的な後処理テープ９０は、図５に示すように、基端部９１が外装体１２の外面に接着剤等により固定されるとともに、この基端部９１よりも先端側の部分は三つ折り（断面Ｚ字状）や二つ折りで折り畳まれて、折り重なり部分間が仮止め接着剤９２により剥離可能に固定（仮固定）されている。また、先端部に白色等の不透明色に着色された摘み部９３を有するとともに、この摘み部９３を除く部分が透明または半透明であり、この後処理テープ９０における透明または半透明の部分を通して、後処理テープ９０の外面側から後述するデザインが視認可能になっている。具体的な構造は適宜構成することができるが、図示形態では、全体を透明又は半透明の複数の基材を長手方向に連結して形成するとともに、摘み部９３に着色テープ９４を張り合わせた構造を採用している。
【００７８】
廃棄時には、おむつ１００をトップシート３０が内側になるとともに前身頃Ｆが内側となるように丸め若しくは折り畳んだ後、後処理テープ９０の折り重なり部分を剥離して展ばし、丸めた若しくは折り畳んだおむつ１００の後身頃Ｂからウエスト開口部ＷＯを越えて反対側の外面まで巻き付けるようにして接着剤により固定する。後処理テープ９０は、不使用時にはコンパクトに折り畳まれ、使用時には長尺状に展開できる三つ折り形状のものが特に好適である。
【００７９】
後処理テープ９０等の固定手段は、前身頃Ｆに設けてもよく、後身頃Ｂと前身頃Ｆの両方に設けてもよい。
【００８０】
（印刷シート）
液不透過性シート１１と外装体１２との間（外装体１２の層間を含む）には、印刷によりデザインの施された印刷シート２５が設けられている。外装体１２を省略し、印刷シート２５が外面に露出する形態とすることもできる。また、図示例の印刷シート２５は、それが配置される身頃よりも小さい面積を有しており、前身頃Ｆ及び後身頃Ｂに個別に設けられているが、前身頃Ｆから股間部を通り後身頃Ｂまで一体的に連続するように設けることもできる。
【００８１】
印刷シート２５の寸法・形状は特に限定されないが、機能を十分なものとするためには十分に面積を大きくするのが好ましく、例えば、印刷シート２５の幅は吸収体５６の幅の５０〜１２０％程度であるのが好ましく、印刷シート２５の長さは少なくとも腹側及び背側の片側で物品全長Ｙの１５〜３０％程度であるのが好ましい。また、印刷シート２５の形状はトリムロスが発生しない点では図示例のような矩形であるのが好ましいが、円形や楕円形、三角形、六角形等の幾何学形状、若しくはデザインの周囲に沿う形状にカットしても良い。
【００８２】
印刷シート２５のシート材としては、プラスチックフィルムや不織布、紙などを用いることができるが、嵩高く通気性の高い素材が好ましい。プラスチックフィルムを用いる場合は、ムレ防止のため透湿性を有することが望ましい。不織布や紙は透湿性を有するため好ましく、デザイン印刷を施す場合、不織布にあっては平滑性が高く印刷しやすいもの、紙にあっては強度が高くインクの滲み難いものを用いるのが好ましい。特に好ましいものとしては、目付け１５〜３５ｇ／ｍ2程度、厚み０．１〜０．３ｍｍ程度のクレープ紙（薄葉紙）や、目付け１０〜２５ｇ／ｍ2程度、厚み０．１〜０．３ｍｍ程度の不織布（特にスパンボンド部の繊度が１．０〜３．０ｄｔｅｘ程度のスパンボンド不織布やＳＭＳ不織布）を挙げることができる。クレープ紙を用いる場合は、クレープ率は５〜２０％程度、特に５〜１５％程度のものを用いるのが好ましい。クレープ率が２０％以上であると、インクの定着量は大きくなるが滲みが生じてデザイン印刷には適さない。クレープ率が５％以下であるとインクが浸透しにくいため定着量が少ない。
【００８３】
（外装体分割構造）
上述の例では、前身頃Ｆから後身頃Ｂまでを一体的な外装体１２により連続的に覆っているが、外装体が、装着者の胴回りのうち腹側を覆う腹側外装体と背側を覆う背側外装体とに分割されており、腹側外装体の幅方向中央部内面に内装体の前端部がホットメルト接着剤等により連結されるとともに、背側外装体の幅方向中央部内面に内装体の後端部がホットメルト接着剤等により連結されており、腹側外装体と背側外装体とが股間側で連続しておらず、離間されている形態も採用することができる。この離間距離は１５０〜２５０ｍｍ程度とすることができる。この場合、内装体における液不透過性シートの裏面には、内装体の裏面全体を覆うように、あるいは腹側外装体と背側外装体との間に露出する部分全体を覆うように、股間部外装体を固定することもできる。股間部外装体としては、前述した外装体に用いられるものと同様の資材を用いることができる。股間部外装体も本発明の外装体に相当する。
【００８４】
（特徴部分について）
立体ギャザー６０は、例えば図９に示すように、ギャザーシート６２の第１層６２ａ及び第２層６２ｂが、前後方向に間欠的に配された、ギャザー弾性伸縮部材６３と交差して連続する接着剤７１（ホットメルト接着剤７１等）により接合されることにより、接合加工部７０が形成されている。
【００８５】
ギャザー弾性伸縮部材６３は、接合加工部７０と交差する位置で第１層６２ａ及び第２層６２ｂの少なくとも一方に接着剤７１により固定される。ギャザー弾性伸縮部材６３の固定のために接合加工部形成用とは別の接着剤を弾性伸縮部材又は層６２ａ，６２ｂに塗布することもできるが、図示形態では、接合加工部７０を形成するための接着剤７１がギャザー弾性伸縮部材６３と交差する方向に連続しているため、この接着剤７１を利用してギャザー弾性伸縮部材６３を第１層６２ａ及び第２層６２ｂの少なくとも一方に固定している。製造に際しては、接着剤７１を第１層６２ａ及び第２層６２ｂのいずれか一方又は両方に塗布し、両層６２ａ，６２ｂを接合する時にギャザー弾性伸縮部材６３を両層６２ａ，６２ｂ間に挟み込めばよい。
【００８６】
図９に示す形態は、第１層６２ａにおける第２層６２ｂ側の面に、前後方向には間欠的にかつ前後方向と交差する方向には所定の幅で連続的に接着剤７１を塗布し、第２層６２ｂにおける第１層６２ａ側の面には、接着剤７１を塗布せずに、第１層６２ａ及び第２層６２ｂ間にギャザー弾性伸縮部材６３を伸長状態で挟み、第１層６２ａ及び第２層６２ｂ、並びに第１層６２ａ及びギャザー弾性伸縮部材６３をそれぞれ接着剤７１により接合したものである。この場合、接合加工部７０とギャザー弾性伸縮部材６３とが交差する部分のうち、ギャザー弾性伸縮部材６３の第１層６２ａ側で接着剤７１が伸縮方向と交差する方向に連続することによりギャザー弾性伸縮部材６３が第１層６２ａに固定されるとともに、ギャザー弾性伸縮部材６３の第２層６２ｂ側では接着剤７１が伸縮方向と交差する方向に不連続となる。図中にはこの不連続となる部分を符号７２により示している。第２層６２ｂにおいて接着剤７１が間欠的に存在することより第２層６２ｂの柔軟性の低下、ひいては第１層６２ａ及び第２層６２ｂの全体としての柔軟性の低下を抑制できる。また、ギャザー弾性伸縮部材６３は接合加工部７０と交差する部分では第１層６２ａ側だけとはいえ接着剤７１が連続するから、襞８０は立体ギャザー６０の突出方向に連続的となる。
【００８７】
なお、第１層６２ａ及び第２層６２ｂに同様のパターンで接着剤７１を塗布することも可能である。この場合、図１０に示すように、接合加工部７０とギャザー弾性伸縮部材６３とが交差する部分のうち、ギャザー弾性伸縮部材６３の第１層６２ａ側及び第２層６２ｂ側の両方で接着剤７１が伸縮方向と交差する方向に所定の幅で連続するため、ギャザー弾性伸縮部材６３をより強固に固定でき、剛性もより均一に向上する利点がある。また、図示しないが第２層６３ｂに接着剤を塗布し、第１層６３ａには接着剤を塗布せずに弾性伸縮部材を挟みこんで固定することも可能である。
【００８８】
また、図１１に示すように、溶着加工により接合加工部７０を形成することもできる。溶着部分は符号７５により示されている。溶着加工としては、ヒートシール、超音波溶着等、公知の加工手法を採用することができる。ここで、接合加工部７０を形成するための溶着加工が連続するとは、第１層６２ａ及び第２層６２ｂの少なくとも一方で溶着加工跡が連続する限り、第１層６２ａ及び第２層６２ｂとギャザー弾性伸縮部材６３とがそれぞれ溶着して第１層６２ａ及び第２層６２ｂが間接的に溶着することにより溶着が連続する形態だけでなく、接合加工部７０とギャザー弾性伸縮部材６３とが交差する部分７２においてギャザー弾性伸縮部材６３が介在するために第１層６２ａ及び第２層６２ｂ間の溶着が連続しない形態も含み、いずれの場合も接合加工部は連続的となるため、連続的な襞８０が形成される。例えば、第１層６２ａ及び第２層６２ｂ間にギャザー弾性伸縮部材６３を挟んだ状態で、ヒートシールや超音波溶着によりギャザー弾性伸縮部材６３を横切る連続的なパターンで溶着を行い、ギャザー弾性伸縮部材６３を溶融させずに第１層６２ａ及び第２層６２ｂを溶融させると、第１層６２ａ及び第２層６２ｂとギャザー弾性伸縮部材６３とが溶着しないために後者の形態となる。
【００８９】
ギャザー弾性伸縮部材６３は、接合加工部７０と交差する位置で第１層６２ａ及び第２層６２ｂの少なくとも一方に固定される。この固定の形態には、ギャザー弾性伸縮部材６３と接合加工部７０とが交差する位置で、ギャザー弾性伸縮部材６３とシートとが接着（ホットメルト接着剤７１等の接着剤７１による接着だけでなく、溶着も含む。）されている形態だけでなく、ギャザー弾性伸縮部材６３とシートとは接着されていないが、伸縮方向と交差する方向の接合加工部７０の間隔がギャザー弾性伸縮部材６３の自然長時の太さよりも狭く、ギャザー弾性伸縮部材６３が接合加工部７０間に挟持されることで固定される結果、ギャザー弾性伸縮部材６３の収縮力が接合加工部７０と交差する位置でシートに伝達される形態（特開２００８−１５４９９８号公報、特開２００９−１０６６６７号公報参照）も含まれる。より詳細には、後者の形態は、図１２（ａ）に示すように、固定時の伸長率よりも高い伸長率に伸ばしたギャザー弾性伸縮部材６３を第１層６２ａ及び第２層６２ｂ間に挟んだ状態で、ヒートシールや超音波溶着によりギャザー弾性伸縮部材６３を横切る連続的なパターンで接合加工部７０の溶着を行い、ギャザー弾性伸縮部材６３を溶融させずに第１層６２ａ及び第２層６２ｂを溶融させ、第１層６２ａ及び第２層６２ｂとギャザー弾性伸縮部材６３とを溶着させずに、その後に図１２（ｂ）に示すように、ギャザー弾性伸縮部材６３の張力を解放し、ギャザー弾性伸縮部材６３を収縮させて直径を拡大させ、ギャザー弾性伸縮部材６３を接合加工部７０間に挟持させることで製造することができる。これにより、製造される伸縮構造は、第１層６２ａ及び第２層６２ｂの少なくとも一方で溶着加工跡が連続するものの、接合加工部７０とギャザー弾性伸縮部材６３とが交差する部分においてギャザー弾性伸縮部材６３が介在するために第１層６２ａ及び第２層６２ｂ間の溶着が連続せず、かつギャザー弾性伸縮部材６３が接合加工部７０間に挟持されることで固定される形態となる。
【００９０】
溶着により接合加工部７０を形成すると、接合加工部７０がホットメルト接着剤による接合と比べて硬くなり易いが、剛性向上効果は高いため、これらのバランスを考慮して、溶着加工を採用するかホットメルト接着剤を採用するか適宜選択すれば良い。
【００９１】
各接合加工部７０の伸縮方向の幅７０ｗ及び、隣り合う接合加工部７０の間隔７０ｄは適宜定めることができるが、各接合加工部７０の伸縮方向の幅７０ｗは、４ｍｍ以下であると好ましく、２ｍｍ以下であるとより好ましく、１．５ｍｍ以下であると特に好ましい。また、シート接合部７０の伸縮方向の幅７０ｗは、１ｍｍ以上とすると製造容易性の観点からは好ましいが、柔軟性の観点からは０．５ｍｍ以上とすることが好ましい。また、隣り合う接合加工部７０の間隔７０ｄは４〜８ｍｍであることが好ましく、特に５〜７ｍｍであることが好ましい。
【００９２】
隣り合うギャザー弾性伸縮部材６３の間隔は適宜定めることができるが、立体ギャザーの先端側において肌に接触しうる部分では、隣り合うギャザー弾性伸縮部材６３の間隔６３ｄは１０ｍｍ以下、特に３〜８ｍｍとすると、襞の形状が不規則になり難いため好ましい。
【００９３】
接合加工部７０は、ギャザーシート６２の先端まで連続させても良いが、接合加工部７０は硬質な部分であるとともに、立体ギャザー６０の先端は最も強く肌に当たる部分であるため、図１４に示すように、立体ギャザー６０の先端から基端側に若干離間させるのも好ましい形態である。この場合における立体ギャザー６０先端と接合加工部７０との離間距離は０．５〜４ｍｍ程度とすることが望ましい。このことからも判るように、接合加工部７０は、ギャザーシート６２の突出方向全体にわたり設ける他、突出部分６６の全体、自由部分６８の全体、又は自由部分６８の先端側のみ等、一部のみとし、他の部分は従来と同様に接合することもできる。
【００９４】
接合加工部７０が伸縮方向に間欠的であると、ギャザー弾性伸縮部材６３の固定力の低下は避けられず、ギャザー弾性伸縮部材６３が抜けて収縮力が作用しなくなるおそれがある。特に、各接合加工部７０の伸縮方向の幅７０ｗは狭いことが望ましいが、その場合、ギャザー弾性伸縮部材６３と接合加工部７０とが交差する位置が小さくなり、この小さな位置でギャザー弾性伸縮部材６３を固定することが必要となり、ギャザー弾性伸縮部材６３の固定力の確保が重要となる。そこで、ギャザー弾性伸縮部材６３を接合加工部７０と交差する位置以外でも部分的に第１層６２ａ及び第２層６２ｂの少なくとも一方に固定し、ギャザー弾性伸縮部材６３の固定を補強することも一つの好ましい形態である。例えば、第１層６２ａ及び第２層６２ｂの少なくとも一方におけるギャザー弾性伸縮部材６３の両端部が位置する領域に、補強用のホットメルト接着剤等の接着剤を塗布し、この接着剤により第１層６２ａ及び第２層６２ｂに対するギャザー弾性伸縮部材６３の固定を補強することができる。
【００９５】
以上に述べた立体ギャザー６０では、ギャザー弾性伸縮部材６３の収縮に伴い、図９（ｂ）に示すように、第１層６２ａ及び第２層６２ｂにおける接合加工部７０間に位置する部分がそれぞれ収縮し、互いに反対向きに膨らんで襞８０が形成される。図９（ｂ）は自然長の状態であるが、装着時にはこの状態からギャザー弾性伸縮部材６３がある程度まで伸長され、図９（ｃ）に示すように、襞８０の裾が広がり、それに伴い襞８０の高さ８０ｈが低くなる。その結果、この立体ギャザー６０では、第１層６２ａ及び第２層６２ｂを接合する接合加工部７０がギャザー弾性伸縮部材６３と交差して連続し、立体ギャザー６０の突出方向に連続する襞８０が形成されるため、この襞８０が骨のような役割を果たして立体ギャザー６０の突出方向の剛性が高くなり、ヨレやズレが発生し難くなる。そして、その割には、襞８０は前後方向に間欠的であるため、装着者の動きに対して追従変形し易いものとなる。さらに、接合加工部７０は硬質なものとなるが、襞８０間、潰れた襞８０の壁部、倒れた襞８０により肌側に露出し難くなるため、肌触りが硬質となり難い点も重要である。
【００９６】
特に、各接合加工部７０の伸縮方向の幅は隣り合う襞８０の間隔に影響を及ぼすものであり、この幅が４ｍｍを超えると、隣り合う襞８０の間が広くなり過ぎ、個々の襞８０が独立した見栄えとなるだけでなく、厚み方向の圧縮力により襞８０が潰れ広がる、倒れる等の変形をするとき、隣り合う襞８０が支え合う作用が弱くなる結果、変形に対する抵抗あるいは変更後の復元も弱くなり、結果的にフンワリ感が不十分となってしまう。しかも、単に接合加工部７０の伸縮方向の幅を４ｍｍ以下とするだけで、隣り合う接合加工部７０の間隔を４ｍｍ未満８ｍｍ超とした場合には次のようになる。すなわち、隣り合う接合加工部７０の間隔は剛性及び追従変形性に影響するものであり、３ｍｍ以下になると襞８０が殆ど形成されず、襞８０による立体ギャザー６０の突出方向の剛性向上が乏しいものとなる（伸縮方向に間欠的に接合加工部７０を設ける意味が無くなる）。また、接合加工部７０の間隔が８ｍｍを超えると、包装時の圧縮により襞８０が不規則に潰れてしまい、襞８０による肌触りの柔軟性の向上が損なわれるおそれがある。これに対して、接合加工部７０の伸縮方向の幅を１〜４ｍｍとし、かつ接合加工部７０の間隔を４〜８ｍｍとすると、剛性及び追従変形性のバランスが良く、かつ、襞８０による肌触りの柔軟性も十分に確保される。
【００９７】
また、図示形態の立体ギャザー６０のように、ギャザーシート６２の突出部分６６は、表面側において幅方向中央側に向かって延出する基端側部分と、この基端側部分の先端から幅方向外側に折り返された先端側部分とを有する面接触タイプであると、線接触タイプと比べて、ヨレやズレが発生すると好ましい接触状態が維持され難い一方で、肌に対する当りは強くなり難い。よって、このような面接触タイプの立体ギャザー６０に上述の伸縮構造を適用すると、面接触タイプの短所である形状維持性を襞８０による剛性向上により補いつつ、剛性向上により短所となりかねない肌触りの悪化を面接触タイプの長所により補うことができるため好ましい。
【００９８】
図９〜図１１に示す形態では、接合加工部７０をギャザー弾性伸縮部材６３と直交する方向に沿って直線状に連続させており、ギャザー弾性伸縮部材６３と交差する方向に延びる襞８０が前後方向に多数形成されるため、通気性の点では好ましいものとなるが、襞８０間を通って漏れが発生するおそれがある。そこで、図１３（ａ）に示すように、接合加工部７０の向きを傾斜させて、襞８０間の通路長を長くし、漏れ防止性を高めるのは一つの好ましい形態である。なお、この場合、接合加工部７０を直線状とする他、湾曲させる等しても良い。
【００９９】
また、図１３（ｂ）に示すように、接合加工部７０を波状に形成して襞８０間の通路を波状に延在させ、通路長の増加だけでなく通路壁への衝突性を向上させて、漏れ防止性を高めるのも一つの好ましい形態である。この波状の接合加工部７０は、図示例のような三角波状（ジグザグ状）の他、正弦波状等の他の周期的又は非周期的な波状とすることもできる。
【０１００】
＜効果確認試験＞
各種伸縮シートを作製し、ＪＩＳ  Ｌ１０９６：２０１０「織物及び編物の生地試験方法」の剛軟度Ａ法（４５度カンチレバー法）に準じて剛軟度を測定するとともに、被験者１０人に伸縮シートの手触りの柔らかさ・硬さを５段階（非常に柔らかい、柔らかい、どちらともいえない、硬い、非常に硬い）で官能評価してもらい、その平均値を評価値とした。
【０１０１】
各伸縮シートは、第１層６２ａ及び第２層６２ｂとして２枚の不織布を用意し、一方の不織布の表面に、不織布の製造時のＭＤ方向（ライン流れ方向）に間隔を空けて、不織布の製造時のＣＤ方向（ＭＤ方向と直交する方向）に直線状に延びるようにホットメルト接着剤を塗布し、その上に、ギャザー弾性伸縮部材６３としての細長状の弾性伸縮部材を当該一方の不織布のＭＤ方向に沿って伸長させた状態で当該一方の不織布のＣＤ方向に５ｍｍの間隔６３ｄ（中心間隔）を空けて平行に配置し、その上から他方の不織布を一方の不織布に方向を合わせて貼り付け、一方の不織布の対向面に塗布した接着剤７１としてのホットメルト接着剤により、不織布同士を接合するとともに不織布に対して弾性伸縮部材を固定することによって製造した。したがって、伸縮シートの構造は図９に示すものと同種類となる。
【０１０２】
不織布としては、繊維径１５μｍ、目付１３ｇ／ｍ2、圧力０．５ｇｆ／ｃｍ2における厚み０．１６ｍｍのポリプロピレン繊維スパンボンド不織布を使用した。また、弾性伸縮部材としては、太さ６２０ｄｔｅｘの合成糸ゴムを使用し、固定時の伸長率は２４０％とした。ホットメルト接着剤の塗布量（塗布部分の単位面積当たりの重量）は２０ｇ／ｍ2とした。
【０１０３】
伸縮シートとしては、ホットメルト接着剤による接合加工部７０の幅（伸縮方向）を２ｍｍ、隣り合う接合加工部７０の間隔７０ｄを６ｍｍとした実施例１、接合加工部の幅７０ｗを５ｍｍ、隣り合う接合加工部の間隔７０ｄを１ｍｍとした比較例１、及び接合加工部７０の幅７０ｗを５ｍｍ、隣り合う接合加工部７０の間隔７０ｄを１０ｍｍとした比較例２の三種類を作製した。剛軟度の測定に際しては、各伸縮シートから図１５に示すように自然長状態での寸法が不織布のＭＤ方向２０ｍｍ、ＣＤ方向１５０ｍｍの試験片Ｉ、及び図１６に示すように自然長状態での寸法が不織布のＭＤ方向１５０ｍｍ、ＣＤ方向２０ｍｍの試験片ＩＩの二種類を切り出して、自然長状態で剛軟度を測定した。
【０１０４】
試験及び評価の結果を表１に示した。実施例１と比較例１，２との比較より、各接合加工部７０の伸縮方向の幅７０ｗ、及び隣り合う接合加工部７０の間隔７０ｄが本発明の範囲内にあると、肌触りが柔軟で、追従変形性の低下が少ないものでありながら、剛性が高いものとなることが判明した。
【０１０５】
【表１】
2015171501.tif 000003
【０１０６】
＜明細書中の用語の説明＞
明細書中の以下の用語は、明細書中に特に記載が無い限り、以下の意味を有するものである。
【０１０７】
・「ゲル強度」は次のようにして測定されるものである。人工尿（尿素：２０ｗｔ％、食塩：８ｗｔ％、塩化カルシウム二水和物：０．３ｗｔ％、酸化マグネシウム七水和物：０．８ｗｔ％、純水：７０．０１ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１０８】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
【０１０９】
・「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
【０１１０】
・クレープ紙の「クレープ率」は次のようにして測定される、湿潤時の伸び率を意味する。すなわち、試験片からＭＤ方向１００ｍｍ×ＣＤ方向２５ｍｍ（ＭＤ方向、ＣＤ方向は紙製造時の方向）の寸法の試料を切り取る。水で濡らした筆を用いて試料を濡らした後、破れない程度に限界までＭＤ方向に引張り、皺を伸ばす。試料の余分な水分を取り除いた後、ＭＤ方向の長さを計測する。次の式によりクレープ率（伸び率）を算出する。
クレープ率  ＝  ｛（皺伸ばし後の長さ）−１００｝／１００×１００
【産業上の利用可能性】
【０１１１】
本発明は、立体ギャザーを備えるものであれば、上記例のようなパンツタイプ使い捨ておむつの他、テープタイプ、パッドタイプ等の他の使い捨ておむつ、あるいは生理用ナプキン等、吸収性物品全般に利用できるものである。
【符号の説明】
【０１１２】
１１…液不透過性シート、１２…外装体、１２Ａ…サイドシール部、１２Ｈ…第２シート材、１２Ｓ…第１シート材、１２ｒ…折り返し部分、３０…トップシート、４０…中間シート、５０…吸収要素、５６…吸収体、５８…包装シート、６０…立体ギャザー、６２…ギャザーシート、６２ａ…第１層、６２ｂ…第２層、６３…ギャザー弾性伸縮部材、６５…付根部分、６６…突出部分、６７…倒伏部、６８…自由部分、７０…接合加工部、７１…接着剤、８０…襞、２００…内装体。
【図１】
2015171501.tif 000004
【図２】
2015171501.tif 000005
【図３】
2015171501.tif 000006
【図４】
2015171501.tif 000007
【図５】
2015171501.tif 000008
【図６】
2015171501.tif 000009
【図７】
2015171501.tif 000010
【図８】
2015171501.tif 000011
【図９】
2015171501.tif 000012
【図１０】
2015171501.tif 000013
【図１１】
2015171501.tif 000014
【図１２】
2015171501.tif 000015
【図１３】
2015171501.tif 000016
【図１４】
2015171501.tif 000017
【図１５】
2015171501.tif 000018
【図１６】
2015171501.tif 000019